(57)【要約】【課題】レバー体を立てたときにベースとレバー体の間から帯状体が予期せず抜け出してしまうことがないようにする。【解決手段】被接続体Ｊの取り付け部１０を備えたベース１と、このベース１に回動可能に組み合わされるレバー体２とを備えている。レバー体２は、ベース１への組み合わせ部２０から延び出す操作部２１と、この操作部２１と異なる向きにこの組み合わせ部２０から突き出す挟持部２２とを備えている。レバー体２を立てた状態においてベース１の基部１１とレバー体２の組み合わせ部２０との間に通した帯状体Ｗを、レバー体２を回動寝かせることによりレバー体２の挟持部２２とベース１の基部１１とで挟み付けるようになっている。レバー体２の操作部２１には帯状体Ｗを通すスリット２１ｃが形成されている。【選択図】図１４
2007296313.tif 000002
【特許請求の範囲】
【請求項１】
帯状体を被接続体に接続させるためのバックルであって、
被接続体の取り付け部を備えたベースと、
このベースに回動可能に組み合わされるレバー体とを備えており、
ベースは、基部と、この基部から突出するレバー体の支持部とを備えており、
レバー体は、ベースへの組み合わせ部から延び出す操作部と、この操作部と異なる向きにこの組み合わせ部から突き出す挟持部とを備えており、
レバー体を立てた状態においてベースの基部とレバー体の組み合わせ部との間に通した帯状体を、レバー体を回動寝かせることによりレバー体の挟持部とベースの基部とで挟み付けるようになっており、
しかも、レバー体の操作部には、レバー体の回動軸線方向に長い帯状体を通すスリットが形成されていることを特徴とするバックル。
【請求項２】
スリットが、その長さ方向において、弧状をなすように形成されていることを特徴とする請求項１記載のバックル。
【請求項３】
レバー体の操作部におけるスリットが形成されている箇所の面が、スリットの中央部を湾曲中心とする湾曲面となっていることを特徴とする請求項１記載のバックル。
【請求項４】
スリットが、その長さ方向において、弧状をなすように形成されていると共に、
レバー体の操作部におけるスリットが形成されている箇所の面が、スリットの中央部を湾曲中心とする湾曲面となっていることを特徴とする請求項１記載のバックル。
【請求項５】
レバー体の操作部に、レバー体の回動軸線方向に長い帯状体を通すスリットが、操作部の突き出し方向において間隔を開けて二条形成されていることを特徴とする請求項１記載のバックル。
【請求項６】
レバー体の回動中心が、レバー体を寝かせた状態において、挟持部の上方にあって、かつ、挟持部の直上位置よりも操作部の延び出し側と反対の側に偏って位置されるようにしてあることを特徴とする請求項１〜請求項５のいずれか１項に記載のバックル。
【発明の詳細な説明】
【技術分野】
【０００１】
この発明は、帯状体を、別の帯状体などの被接続体に対し、留め付け位置の調整可能な状態で、接続させるために用いられるバックルの改良に関する。
【背景技術】
【０００２】
バックル本体と、このバックル本体に回動可能に組み付けられるストッパー片とからなるバックルとして、特許文献１に示されるものがある。バックル本体は一対の側板とこの一対の側板間に亘る底板とを備えている。ストッパー片は軸受部を介して所定角度で屈曲されており、その一方が操作板部とされ他方が係止カム部となっている。ストッパー片は軸受部の両側に軸桿を備えており、この軸桿をバックル本体の一対の側板にそれぞれ形成された軸穴に入れ込ませることでこのバックル本体に回動可能に組み付けられている。そして、かかるバックルにあっては、ストッパー片を立てた状態でバックル本体の底板とストッパー片の軸受部の外側の間からベルトを通すことが可能とされ、このようにベルトを通した状態からストッパー片を寝かせることにより、バックル本体の底板とストッパー片の係止カム部とでベルトを挟み付けこのベルトへの留め付けをなすようになっている。
【０００３】
かかるバックルにあっては、ベルトへの留め付け位置を調整するにあたっては、前記ストッパー片を立てる操作をしながら通されているベルトをその長さ方向に所望の位置まで移動させ、この後ストッパー片を再び寝かす操作を要する。このため、かかるバックルは、この調整に操作者の両手を必要とすると共に、ストッパー片を立てたときにベルトにテンションが作用されていると、バックル本体とストッパー片との間からの予期しないベルトの抜け出しを生じさせ得るものであった。
【特許文献１】実開昭６３−１４０２０７号公報
【発明の開示】
【発明が解決しようとする課題】
【０００４】
この発明が解決しようとする主たる問題点は、この種のベースとこのベースに回動可能に組み付けられるレバー体とを備え、レバー体を立てた状態で両者の間に通した帯状体をレバー体を回動寝かすことで挟みこれに留め付くように構成されたバックルにおいて、レバー体を立てたときにベースとレバー体の間から帯状体が予期せず抜け出してしまうことがないようにすると共に、少なくともレバー体を寝かせる操作を片手で行えるようにする点にある。
【課題を解決するための手段】
【０００５】
前記課題を達成するために、この発明にあっては、バックルを、以下の（１）〜（７）の構成を備えたものとした。
（１）帯状体を被接続体に接続させるためのバックルであって、
（２）被接続体の取り付け部を備えたベースと、
（３）このベースに回動可能に組み合わされるレバー体とを備えており、
（４）ベースは、基部と、この基部から突出するレバー体の支持部とを備えており、
（５）レバー体は、ベースへの組み合わせ部から延び出す操作部と、この操作部と異なる向きにこの組み合わせ部から突き出す挟持部とを備えており、
（６）レバー体を立てた状態においてベースの基部とレバー体の組み合わせ部との間に通した帯状体を、レバー体を回動寝かせることによりレバー体の挟持部とベースの基部とで挟み付けるようになっており、
（７）しかも、レバー体の操作部には、レバー体の回動軸線方向に長い帯状体を通すスリットが形成されている。
【０００６】
レバー体を立てた状態からこのレバー体とベースとの間に通した帯状体は操作部の内面側からこの操作部に設けた前記スリットを通じてこの操作部の外面側に引き出される。このように帯状体を引き出した状態からレバー体を寝かせることにより、帯状体を挟持部とベースの基部との間で挟み付けこの帯状体への留め付けをなすことができる。この留め付け状態はレバー体を再び立てることで解除されるが、このときも帯状体が前記スリットを通じて操作部の外面側から外方に延び出しているようにできる。このとき、この帯状体にこのスリットから抜け出す向きの力が、またはバックルにこの帯状体をこのスリットから抜け出させる向きの力が、あるいは、帯状体Ｗとバックルの双方にこうした力が作用されている場合、この帯状体Ｗには挟持部の突き出し端とスリットにおける操作部の内面側の縁部とスリットにおける操作部の外面側の縁部とが接する。この結果、レバー体が立てられたときにこうした力が帯状体などに作用された場合、レバー体にはこれを寝かせる向きの力が作用され、この力の作用によりレバー体は寝かせる位置に向けて少なくとも所定の角度分回動される。このようにレバー体が回動されると挟持部の突き出し端とベースの基部との間での帯状体の挟み付けがなされることとなる。これにより、レバー体とベースとの間から帯状体の抜け出しが阻止され、帯状体とバックルを予期せず分離させてしまうことがない。また、スリットから引き出されている帯状体を把持しこの引き出し部分をベースの基部に近づける向きに移動操作することにより、片手でレバー体を寝かせる位置まで回動させて帯状体への留め付け状態をワンタッチで作り出すこともできる。
【０００７】
前記スリットを、その長さ方向において、弧状をなすように形成させておけば、スリットの縁部を操作部の内面側および外面側のいずれか一方においては前記力により緊張される帯状体の中央部側に強く接しさせ、かつ、これらの他方においてはこのように緊張される帯状体の縁部側に強く接しさせることができる。
【０００８】
前記レバー体の操作部におけるスリットが形成されている箇所の面が、スリットの中央部を湾曲中心とする湾曲面となるようにしておけば、スリットの縁部を操作部の内面側および外面側のいずれか一方においては前記力により緊張される帯状体の中央部側に強く接しさせ、かつ、これらの他方においてはこのように緊張される帯状体の縁部側に強く接しさせることができる。
【０００９】
前記レバー体の操作部に、レバー体の回動軸線方向に長い帯状体を通すスリットを、操作部の突き出し方向において間隔を開けて二条形成させておけば、レバー体とベースとの間に通された帯状体を、レバー体の操作部の内面側から二条のスリットのうちの一方に通して操作部の外面側に引き出させた後、このスリットの他方を通じて再び操作部の内面側に引き出させるようにすることができ、この場合にも前記力が作用されたときに立てられたレバー体を寝かせる向きに回動させてレバー体とベースとの間からの帯状体の抜け出しを阻止することができる。
【００１０】
前記レバー体の回動中心が、レバー体を寝かせた状態において、挟持部の上方にあって、かつ、挟持部の直上位置よりも操作部の延び出し側と反対の側に偏って位置されるようにしておけば、レバー体を立てた状態においてベースの基部とレバー体の組み合わせ部との間に帯状体を通す隙間をできるだけ大きく確保させながら、レバー体を寝かせた状態においては挟持部とベースの基部との間の間隔を狭めて通された帯状体を両者間で強固に挟み付けることができる。
【発明の効果】
【００１１】
この発明にかかるバックルによれば、ベースとレバー体との間に通されている帯状体はさらにレバー体の操作部のスリットに通されることから、レバー体を立てたときにはこの帯状体に対しレバー体の挟持部とスリットの縁部とを位置を異ならせて接しさせることができ、これにより帯状体にテンションが作用されたときには立てられたレバー体を寝かせる向きに回動させるようにして、ベースとレバー体の間からの帯状体の予期しない抜け出しを阻止することができる。また、少なくともレバー体を寝かせる操作をスリットを通じて引き出されている帯状体を利用して片手で行なうことができる。
【発明を実施するための最良の形態】
【００１２】
以下、図１〜図１６に基づいて、この発明を実施するための最良の形態について説明する。
【００１３】
なお、ここで図１〜図６はレバー体２を寝かせた状態のバックルを、図７〜図１２はレバー体２を立てた状態のバックルを、それぞれ示している。かかるバックルの左側面図は図３および図１１の右側面図と対称に表れる。また、図１３は、帯状体Ｗ、Ｗ’同士をバックルを介して留め合わせた様子を、図１４は、図１３の状態からレバー体２を立てたときの様子を、それぞれ示している。
【００１４】
また、図１５は、図１〜図１４に示されるバックルの構成の一部を変更させた例をベース１とレバー体２とを分離させた状態として示しており、また、図１６は、かかる例のバックルの機能を理解しやすいように、このバックルの構成要旨をモデル的に表しかつ側面から見て示している。（なお、図１６においてはレバー体２を立てたときの形状を想像線で表している。）
【００１５】
この実施の形態にかかるバックルは、典型的には、このバックルを介して帯状体Ｗの端部側を、その帯状体Ｗの他方の端部側や、別の帯状体Ｗ’や、物品本体などの被接続体Ｊに対し、留め付け位置の調整可能な状態で、接続させるために用いられるものである。
【００１６】
かかるバックルは、ベース１と、レバー体２とから構成されている。
【００１７】
ベース１には、被接続体Ｊの取り付け部１０が備えられている。例えば、このベース１の取り付け部１０をもって、このベース１を他の帯状体Ｗ’に取り付けさせるようにすれば、バックルを介して二つの帯状体Ｗ、Ｗ’を接続できるようになる。また、このベース１の取り付け部１０をもって、このベース１を一つの帯状体Ｗの一方の端部側に取り付けさせるようにすれば、バックルを介してこの一つの帯状体Ｗの両端部を接続させ合わせ可能となる。また、このベース１の取り付け部１０をもって、このベース１をかばん本体などに取り付けさせるようにすれば、バックルを介してこのかばん本体などに帯状体Ｗを接続できるようになる。
【００１８】
かかるベース１は、基部１１と、この基部１１から突出するレバー体２の支持部１２とを備えている。図示の例では、基部１１は、対向辺部にそれぞれ支持部１２を備えた板状をなすように構成されている。この基部１１における支持部１２の備えられていない辺部１１ａの一方は、この辺部１１ａの長さ方向略中程の位置に近づくに連れて基部１１の内方に向かうように湾曲されている。支持部１２は、この基部１１の一面に直交する向きに突き出す側板状をなすように構成されている。支持部１２は前記湾曲された辺部１１ａとこの支持部１２が形成されている辺部との接し合う隅部から始まって、途中から突き出し寸法を低め終了している。基部１１は支持部１２の終了箇所から先に突き出す舌片状部１１ｂを有している。かかる支持部１２における前記隅部側に、この支持部１２を内外に貫通する軸穴１２ａが形成されている。また、基部１１の舌片状部１１ｂの根本側には、一対の支持部１２間に亘るスリット１１ｃが貫通状態に形成されている。図示の例にあっては、このスリット１１ｃに帯状体Ｗ’を通してベース１の舌片状部１１ｂにこの帯状体Ｗ’を掛け回すことで、この帯状体Ｗ’にベース１を取り付けるようになっている。すなわち、図示の例では、このスリット１１ｃが前記取り付け部１０として機能するようになっている。
【００１９】
レバー体２は、かかるベース１に回動可能に組み合わされるようになっている。このレバー体２は、ベース１への組み合わせ部２０から延び出す操作部２１と、この操作部２１と異なる向きにこの組み合わせ部２０から突き出す挟持部２２とを備えている。図示の例では、操作部２１は、ベース１の一面をほぼ覆う大きさを備えた板状をなすように構成されている。挟持部２２はこの操作部２１の一辺部に亘ってこの一辺部から突き出すように形成されており、図示の例では操作部２１の内面に略直交する向きにこの操作部２１から挟持部２２は突き出している。この操作部２１と挟持部２２とが接し合う箇所におけるレバー体２の肉厚方向にある一対の面部にはそれぞれ軸突起２０ａが形成されており、レバー体２はベース１の一対の支持部１２、１２の一方の軸穴１２ａにこの軸突起２０ａの一方を入れ込ませ、かつ、ベース１の一対の支持部１２、１２の他方の軸穴１２ａにこの軸突起２０ａの他方を入れ込ませることにより、この軸突起２０ａを回動中心とした回動可能にベース１に組み合わされている。すなわち、図示の例では、この操作部２１と挟持部２２との連接箇所が前記組み合わせ部２０として機能するようになっている。図示の例では、ベース１の支持部１２の突き出し端と軸穴１２ａとの間に案内溝１２ｂが形成されていると共に、レバー体２の軸突起２０ａにおける挟持部２２の突き出し側に向けられた端部に傾斜面２０ｂが形成されており、この案内溝１２ｂと傾斜面２０ｂとを利用してベース１の一対の支持部１２、１２の間の間隔を弾性的に押し広げながら軸穴１２ａに軸突起２０ａが入り込む位置までこの一対の支持部１２、１２の間にレバー体２を押し込んでレバー体２とベース１との前記組み合わせをなすようになっている。レバー体２の軸突起２０ａと挟持部２２の突き出し端２２ａとの間の寸法は、ベース１の支持部１２に形成された軸穴１２ａの直下でのこの軸穴１２ａと基部１１の一面との間の寸法よりもやや小さくなるようにしてある。図示の例では、ベース１の基部１１には軸穴１２ａの直下に間隔を開けて一対の支持部１２、１２間に亘る二条のリブ１１ｄ、１１ｄが形成されており、レバー体２の挟持部２２は、後述のようにレバー体２を寝かしたときに、このリブ１１ｄ、１１ｄ間にその突き出し端２２ａを入り込ませるように位置づけられるようになっている。このとき、かかる二条のリブ１１ｄ、１１ｄと挟持部２２の突き出し端２２ａ間には留め付けをなす帯状体の肉厚よりも狭い挟持隙間Ｓが形成されるようになっている。（図４）かかる二条のリブ１１ｄ、１１ｄのうち、ベース１の舌片状部１１ｂの形成側にあるリブ１１ｄの内面は、このリブ１１ｄの頂部から根本に向かうに連れて次第にこのリブの巾を広くする向きに傾斜した傾斜面１１ｅとなっている。
【００２０】
また、この実施の形態にあっては、レバー体２の組み合わせ部２０の外面２０ｃからこれに続く挟持部２２の外面２２ｂにはベース１の湾曲された辺部１１ａのこの湾曲に倣った湾曲が施されており、また、レバー体２の操作部２１はその先端側で幅広で根本側で巾狭であり、レバー体２を寝かせたとき、ベース１の支持部１２の低まった箇所１２ｃの上面にこのレバー体２の幅広箇所の両縁部が接するようになっている。
【００２１】
そして、この実施の形態にかかるバックルにあっては、かかるレバー体２を立てた状態、つまり、レバー体２の操作部２１の内面２１ｂがベース１の基部１１から離れた状態においてベース１の基部１１とレバー体２の組み合わせ部２０との間に通した帯状体Ｗを、レバー体２を回動寝かせることにより、つまり、レバー体２の操作部２１の内面２１ｂをベース１の基部１１に近接向き合わせる位置まで回動させることにより、レバー体２の挟持部２２とベース１の基部１１とで挟み付けるようになっている。
【００２２】
図示の例では、レバー体２を立てたときに、挟持部２２の外面２２ｂと基部１１の一面との間に留め付けをなす帯状体Ｗの肉厚より広い隙間が形成され、この隙間を利用してレバー体２を立てた状態においてベース１とレバー体２の間にかかる帯状体Ｗを通すことができるようになっている。
【００２３】
また、この実施の形態にかかるバックルにあっては、レバー体２の操作部２１に、レバー体２の回動軸線ｘ方向に長い帯状体Ｗを通すスリット２１ｃが形成されている。
【００２４】
具体的には、図示の例にあっては、レバー体２の操作部２１の先端側、つまり、挟持部２２との連接側と反対の側に、一条のかかるスリット２１ｃが操作部２１の内外を貫通した状態で設けられている。このスリット２１ｃの巾は通される帯状体Ｗの肉厚と略等しいかこれよりやや大きくなるようにしてある。
【００２５】
また、かかるスリット２１ｃは、その長さ方向において、弧状をなすように形成されている。
【００２６】
具体的には、図示の例にあっては、かかるスリット２１ｃはレバー体２の根本側、つまり、挟持部２２との連接側を湾曲外側とするように孤状に湾曲されている。
【００２７】
また、この実施の形態にあっては、かかるレバー体２の操作部２１におけるスリット２１ｃが形成されている箇所の面が、スリット２１ｃの中央部を湾曲中心とする湾曲面となっている。
【００２８】
具体的には、図示の例にあっては、かかるレバー体２の操作部２１の先端側はその内面２１ｂおよび外面２１ａの双方共に、このレバー体２の中央に向かうに連れて内面２１ｂにあっては外面側に次第に近づくように、外面２１ａにあっては次第に外方に張り出すように、湾曲した湾曲面となっている。（図１４）
【００２９】
レバー体２を立てた状態からこのレバー体２とベース１との間に通した帯状体Ｗは操作部２１の内面２１ｂ側からこの操作部２１に設けた前記スリット２１ｃを通じてこの操作部２１の外面２１ａ側に引き出される。このように帯状体Ｗを引き出した状態からレバー体２を寝かせることにより、帯状体Ｗを挟持部２２とベース１の基部１１との間で挟み付けこの帯状体Ｗへの留め付けをなすことができる。この留め付け状態はレバー体２を再び立てることで解除されるが、このときも帯状体Ｗが前記スリット２１ｃを通じて操作部２１の外面２１ａ側から外方に延び出しているようにできる。このとき、この帯状体Ｗにこのスリット２１ｃから抜け出す向きの力が、またはバックルにこの帯状体Ｗをこのスリット２１ｃから抜け出させる向きの力が、あるいは、帯状体Ｗとバックルの双方にこうした力が作用されている場合、この帯状体Ｗには挟持部２２の突き出し端２２ａとスリット２１ｃにおける操作部２１の内面２１ｂ側の縁部２１ｄとスリット２１ｃにおける操作部２１の外面２１ｅ側の縁部とが接する。（図１４）この結果、レバー体２が図１４に示されるように立てられたときにこうした力が帯状体Ｗなどに作用された場合、レバー体２にはこれを寝かせる向きの力が作用され、この力の作用によりレバー体２は寝かせる位置に向けて少なくとも所定の角度分回動される。このようにレバー体２が回動されると挟持部２２の突き出し端２２ａとベース１の基部１１との間での帯状体Ｗの挟み付けがなされることとなる。これにより、レバー体２とベース１との間から帯状体Ｗの抜け出しが阻止され、帯状体Ｗとバックルを予期せず分離させてしまうことがない。また、スリット２１ｃから引き出されている帯状体Ｗを把持しこの引き出し部分Ｗａをベース１の基部１１に近づける向きに移動操作することにより、片手でレバー体２を寝かせる位置まで回動させて帯状体Ｗへの留め付け状態をワンタッチで作り出すこともできる。
【００３０】
特に、この実施の形態にあっては、かかるスリット２１ｃはその長さ方向において弧状をなすように形成されており、かつ、レバー体２の操作部２１におけるスリット２１ｃが形成されている箇所の面はスリット２１ｃの中央部を湾曲中心とする湾曲面となっていることから、スリット２１ｃの縁部を操作部２１の内面２１ｂ側および外面２１ａ側のいずれか一方においては前記力により緊張される帯状体Ｗの中央部側に強く接しさせ、かつ、これらの他方においてはこのように緊張される帯状体Ｗの縁部側に強く接しさせることができ、前記力が作用されたときに立てられたレバー体２をこれを寝かせる向きに確実に回動させるようになっている。
【００３１】
図示の例では、レバー体２の操作部２１の外面２１ａ側において、前記力により緊張されて巾方向において直線的になろうとする帯状体Ｗの中央部にスリット２１ｃの操作部２１の先端側に位置される縁部が接しさせられ、かつ、レバー
の操作部２１の内面２１ｂ側においてかかる帯状体Ｗの両縁部にそれぞれスリット２１ｃの操作部２１の根本側に位置される縁部が接しさせられるようになっている。
【００３２】
図示の例とは別に、レバー体２の操作部２１に、レバー体２の回動軸線ｘ方向に長い帯状体Ｗを通すスリットを、操作部２１の突き出し方向において間隔を開けて二条形成させてバックルを構成させることもできる。
【００３３】
この場合には、レバー体２とベース１との間に通された帯状体Ｗを、レバー体２の操作部２１の内面２１ｂ側から二条のスリットのうちの一方に通して操作部２１の外面側に引き出させた後、このスリットの他方を通じて再び操作部２１の内面２１ｂ側に引き出させるようにすることができ、この場合にも前記力が作用されたときに立てられたレバー体２を寝かせる向きに回動させるようにして、レバー体２とベース１との間からの帯状体Ｗの抜け出しを阻止することができる。
【００３４】
図１５は、レバー体２の回動中心を、レバー体２を寝かせた状態において、挟持部２２の上方にあって、かつ、挟持部２２の直上位置よりも操作部２１の延び出し側と反対の側に偏って位置されるように構成させた例を示している。
【００３５】
この例にあっては、ベース１における支持部１２に形成された軸穴１２ａの直下に二条のリブ１１ｄ、１１ｄが形成されていると共に、この二条のリブ１１ｄ、１１ｄの一方に隣接した箇所に両支持部１２、１２間に亘る長さのスリット１１ｃ’が設けられており、また、この二条のリブ１１ｄ、１１ｄの他方とベース１における支持部１２の形成されていない辺部の他方との間には、取付部１０となるスリット１１ｃ”が間隔を開けて二条設けられている。
【００３６】
この例では挟持部２２の突き出し端２２ａは、操作部２１の突き出し側に向けて次第にその突き出し寸法を大きくするように形成された傾斜面を持っている。そしてこの例では、レバー体２に形成された短寸円柱状をなす軸突起２０ａの中心が、この傾斜面の下端２２ｃの直上位置より操作部２１の延び出し側と反対の側に偏って位置されている。
【００３７】
このようにレバー体２を構成させた場合、レバー体２を立てた状態においてベース１の基部とレバー体２の組み合わせ部２０との間に帯状体Ｗを通す隙間ｓをできるだけ大きく確保させながら、レバー体２を寝かせた状態においては挟持部２２とベース１の基部１１との間の間隔を狭めて通された帯状体Ｗを両者間で強固に挟み付けることができる。（図１６）すなわち、レバー体２を立てた状態においてベース１の基部１１とレバー体２の組み合わせ部２０との間に帯状体Ｗを通し易く、また、帯状体Ｗがある程度厚くなってもこれを通してこれに対する留め付けをなすことができる。また、寝かしたレバー体２を立てて帯状体Ｗへの留め付けを解く場合には、挟持部２２はレバー体２の回転中心の直下位置よりもこのときのレバー体２の回動先側において帯状体Ｗに押し付けられることから、比較的小さな力でかかるレバー体２を立てる操作をなすことができる。
【図面の簡単な説明】
【００３８】
【図１】バックルの平面図
【図２】同底面図
【図３】同右側面図
【図４】図１におけるＡ−Ａ線断面図
【図５】バックルの正面図
【図６】バックルの背面図
【図７】レバー体２を立てた状態のバックルの平面図
【図８】同底面図
【図９】同正面図
【図１０】同背面図
【図１１】同右側面図
【図１２】図７におけるＢ−Ｂ線断面図
【図１３】バックルの使用状態を示した断面図
【図１４】バックルの使用状態を示した断面図
【図１５】他の構成例にかかるバックルの要部破断分離側面図
【図１６】図１５に示されるバックルの機能を示す説明図
【符号の説明】
【００３９】
Ｊ  被接続体
Ｗ  帯状体
１  ベース
１０  取り付け部
１１  基部
１２  支持部
２  レバー体
２０  組み合わせ部
２１  操作部
２１ｃ  スリット
２２  挟持部
【図１】
2007296313.tif 000003
【図２】
2007296313.tif 000004
【図３】
2007296313.tif 000005
【図４】
2007296313.tif 000006
【図５】
2007296313.tif 000007
【図６】
2007296313.tif 000008
【図７】
2007296313.tif 000009
【図８】
2007296313.tif 000010
【図９】
2007296313.tif 000011
【図１０】
2007296313.tif 000012
【図１１】
2007296313.tif 000013
【図１２】
2007296313.tif 000014
【図１３】
2007296313.tif 000015
【図１４】
2007296313.tif 000016
【図１５】
2007296313.tif 000017
【図１６】
2007296313.tif 000018